(57)【要約】【課題】携帯プレーヤのイヤフォンコードを収納するコードホルダー。【解決手段】コードホルダー１は、略中央平面にズレ防止の凸部２などを複数設け、概イヤフォンコード１１、の一部、又はプラグモールド部１３のいずれをも保持するに最適な構造を備えた嵌合部３、又角度を持たせた先端平面部にコード保持用スリット４を形成、概スリット４の上側先端が、スリット基部よりも更に上部方向へずらした構造形成、携帯プレーヤ８のフック１０又は、前記プラグ部１３と係合出来る紐７を、取付け孔５に取付け、底面に滑り止め部６を設け構成されている。【選択図】図１
2010148077.tif 000002
【特許請求の範囲】
【請求項１】
イヤフォンコード’を携帯プレーヤ本体へ巻き付けて仕舞う時に使用するイヤフォンコードホルダーであって、該ホルダーは、イヤフォンコードを携帯プレーヤ本体へ巻き付けるに必要なサイズとし、平たく薄い板状、或いは棒状からなり、長手方向の左右の一方に、イヤフォンコードを端の方から巻きつけ易くする為に、イヤフォンコードが丁度引っ掛かる程度の突起を設け、もう一方の先端部近傍には、イヤフォンコードを巻き付けた後、挟むなどして固定するスリット等を設けてある事を特徴としたイヤフォンコードホルダー。
【請求項２】
前記、イヤフォンコードホルダーにイヤフォンコードを巻き付けた後、コードを挟んで固定する為のスリット等を設ける部分が、他の部分より上部方向へ曲げてあることを特徴とした請求項１記載のイヤフォンコードホルダー。
【請求項３】
前記、イヤフォンコードホルダーが携帯プレーヤ本体と接する面に、ソフトで滑りにくい素材を設けたことを特徴とした請求項１及び２記載のイヤフォンコードホルダー。
【発明の詳細な説明】
【技術分野】
【０００１】本発明は、イヤフォンコードホルダーに関するものである。
【背景技術】
【０００２】従来からイヤフォンコードホルダーは色々なタイプが存在するが、使用するに当たって、面倒な手順を要するものが多く、又サイズもやや大き目な為、使用時の煩わしさもあって、実際には殆ど使われないのが実情である。現状、最もポピュラーな使われ方は、イヤフォンプラグを携帯プレーヤ本体へ差したままそこを支点にイヤフォンコードを携帯プレーヤ本体へぐるぐると巻き付けてバッグ等へそのまま放り込むのが主流である。このような使い方をするとバッグ等の中でコードが緩むなどしてイヤフォンのＬ／Ｒのコードが絡み合い、次の使用時に絡んだコードを元に戻す手間が増え、非常に煩わしい。
【発明の開示】
【発明が解決しようとする課題】
【０００３】現状の使い方での問題点は、携帯プレーヤ本体へ巻き付けたイヤフォンコードの端を固定することが出来ない為に、携帯プレーヤ本体へ巻き付けたコードが自然と緩みほどけてしまうこと、その結果Ｌ／Ｒのコードが絡み易くなること、又、絡んだコードをほどく為にコードを引っ張るなどしてコードに余分な力が掛かる為に断線し易くなる事等である。
【課題を解決するための手段】
【０００４】本発明は、携帯プレーヤ本体と接する面へ、ソフトで滑りにくい素材を設けた該イヤフォンコードホルダーを、イヤフォンコードを携帯プレーヤ本体へ巻き付ける前に携帯プレーヤ本体の背面部、或いはおもて面へ指で押し当てて固定しながら、該イヤフォンコードホルダーを覆うようにイヤフォンコードを携帯プレーヤ本体に巻き付けるよう構成してある。該イヤフォンコードホルダーには、イヤフォンコードを携帯プレーヤへ巻きつける時に端の方から巻きつけ易いようにする為に、イヤフォンコードが丁度引っ掛かる程度の突起を設け、もう一方には、イヤフォンコードを巻き付け終わった後、イヤフォン近傍のコードを挟むなどして固定するスリット等を設けてある。しかし、スリット部が他の部分と同様に平らだと、イヤフォンコードホルダーと携帯プレーヤ本体との間に隙間が無い為に、イヤフォンコードをコード保持用のスリットへスライドさせ挟み込むことが非常に難しい。この問題を解決する為に、イヤフォンコードを該スリットへ挟み込む時に、無理なく簡単に挟むことが出来るよう、スリット部を他の平らな部分よりも上部方向へ曲げ、携帯プレーヤ本体とイヤフォンコードホルダーとの間に隙間が出来るよう工夫してある。該イヤフォンコードホルダーを携帯プレーヤへ押し付け保持した状態で、該イヤフォンコードホルダーを挟むようにしてイヤフォンコードを巻きつけることによって、該イヤフォンコードホルダーはしっかりと固定され、最後にイヤフォン近傍のコードを該イヤフォンコードホルダーの固定用スリットへスライドさせ挟み込むことでしっかりと保持されるのでイヤフォンコードが緩んでほどけ、携帯プレーヤ本体から脱落したり、Ｌ／Ｒのコードが絡んだりすることも防げる。
【発明の効果】
【０００５】イヤフォンコードの収納整理が容易にできる。
【発明を実施するための最良の形態】
【０００６】本発明の構成を図１〜図４に依って説明する。
コードホルダー１は、略中央平面部分にイヤフォンコード１１を巻く際のズレ防止の凸部２などを複数設け、概イヤフォンコード１１が丁度引っ掛かる程度の突起部３、又角度を持たせた先端平面部にコード保持用スリット４を形成、携帯プレーヤ８のフック１０と係合する紐７を取付け孔５に取付け、底面には滑り止め６を設け構成されている。
【実施例】
【０００７】本発明の実施例を図１〜図４に依って説明する。
コードホルダー１の取付け孔５に紐７等を取付け、携帯プレーヤ８のフック１０と係合させ、前記コードホルダー１の滑り止め６を携帯プレーヤ８の背面部９に指で押し当てて固定しながら、該コードホルダー１に設けた突起部３にイヤフォンコード１１掛け、概イヤフォンコード１１を複数の凸部２を設けた端から携帯プレーヤ８を含め巻き付け、概イヤフォンコードの巻き付けが終了後イヤフォン１２近傍のイヤフォンコード１１を、コード保持用スリット４に挟み込む事でイヤフォンコード１１の収納は完了する。
【図面の簡単な説明】
【０００８】
【図１】本発明のコードホルダーを示す斜視図。
【図２】本発明のコードホルダーを携帯プレーヤに取付けた状態を示す斜視図。
【図３】本発明のコードホルダーの突起部にイヤフォンコードを引っ掛け概イヤフォンコードを巻きはじめた状態を示す斜視図。
【図４】本発明のコードホルダーと携帯プレーヤにイヤフォンコードを収納した状態を示す斜視図。
【図５】本発明のコードホルダーと携帯プレーヤにイヤフォンコードを収納した状態を示す斜視図。
【符号の説明】
【０００９】１：コードホルダー
２：凸部
３：突起部
４：コード保持用スリット
５：取付け孔
６：滑り止め
７：紐
８：携帯プレーヤ
９：背面部
１０：フック
１１：イヤフォンコード
１２：イヤフォン
【図１】
2010148077.tif 000003
【図２】
2010148077.tif 000004
【図３】
2010148077.tif 000005
【図４】
2010148077.tif 000006
【図５】
2010148077.tif 000007
【手続補正書】
【提出日】平成21年2月17日(2009.2.17)
【手続補正１】
【補正対象書類名】特許請求の範囲
【補正対象項目名】請求項１
【補正方法】変更
【補正の内容】
【請求項１】
イヤフォンコード゛を携帯プレーヤ本体へ巻き付けて仕舞う時に使用するイヤフォンコードホルダーであって、該ホルダーは、イヤフォンコードを携帯プレーヤ本体へ巻き付けるに必要なサイズとし、平たく薄い板状、或いは棒状からなり、長手方向の左右の一方に、イヤフォンコードを端の方から巻きつけ易くする為にコードの一部、又はプラグモールド部のいずれをも保持するに最適な構造を備えた嵌合部を有し、もう一方の先端部近傍には、イヤフォンコードを巻き付けた後、該コードの一部を挟むなどして固定するスリット等を設けてある事を特徴としたイヤフォンコードホルダー。
【手続補正２】
【補正対象書類名】明細書
【補正対象項目名】０００４
【補正方法】変更
【補正の内容】
【０００４】本発明は、携帯プレーヤ本体と接する面へ、ソフトで滑りにくい素材を設けた該イヤフォンコードホルダーを、イヤフォンコードを携帯プレーヤ本体へ巻き付ける前に携帯プレーヤ本体の背面部、或いはおもて面へ指で押し当てて固定しながら、該イヤフォンコードホルダーを覆うようにイヤフォンコードを携帯プレーヤ本体に巻き付けるよう構成してある。該イヤフォンコードホルダーには、イヤフォンコードを携帯プレーヤへ巻きつける時に端の方から巻きつけ易いようにする為に、コードの一部、又はプラグモールド部のいずれも保持するに最適な構造を備えた嵌合部を有し、もう一方には、イヤフォンコードを巻き付け終わった後、イヤフォン近傍のコードを挟むなどして固定するスリット等を設けてある。しかし、スリット部が他の部分と同様に平らだと、イヤフォンコードホルダーと携帯プレーヤ本体との間に隙間が無い為に、イヤフォンコードをコード保持用のスリットへスライドさせ挟み込むことが非常に難しい。この問題を解決する為に、イヤフォンコードを該スリットへ挟み込む時に、無理なく簡単に挟むことが出来るよう、スリット部を他の平らな部分よりも上部方向へ曲げ、携帯プレーヤ本体とイヤフォンコードホルダーとの間に隙間が出来るよう工夫してある。該イヤフォンコードホルダーを携帯プレーヤへ押し付け保持した状態で、該イヤフォンコードホルダーを挟むようにしてイヤフォンコードを巻きつけることによって、該イヤフォンコードホルダーはしっかりと固定され、最後にイヤフォン近傍のコードを該イヤフォンコードホルダーの固定用スリットへスライドさせ挟み込むことでしっかりと保持されるのでイヤフォンコードが緩んでほどけ、携帯プレーヤ本体から脱落したり、Ｌ／Ｒのコードが絡んだりすることも防げる。
【手続補正３】
【補正対象書類名】明細書
【補正対象項目名】０００６
【補正方法】変更
【補正の内容】
【０００６】本発明の構成を図１〜図６に依って説明する。
コードホルダー１は、略中央平面部分にイヤフォンコード１１を巻く際のズレ防止の凸部２などを複数設け、概イヤフォンコード１１の一部、又はプラグモールド部１３のいずれをも保持するに最適な構造を備えた嵌合部３、又角度を持たせた先端平面部にコード保持用スリット４を形成携帯プレーヤ８のフック１０又は、前記プラグモールド部１３と係合出来る紐７を、取付け孔５に取付け底面には滑り止め６を設け構成されている。
【手続補正４】
【補正対象書類名】明細書
【補正対象項目名】０００７
【補正方法】変更
【補正の内容】
【０００７】本発明の実施例を図１〜図６に依って説明する。
コードホルダー１の取付け孔５に紐７等を取付け、携帯プレーヤ８のフック１０と係合させ、前記コードホルダー１の滑り止め６を携帯プレーヤ８の背面部９に指で押し当てて固定しながら、該コードホルダー１に設けた嵌合部３にイヤフォンコード１１挟み、概イヤフォンコード１１を複数の凸部２を設けた端から携帯プレーヤ８を含め巻き付け、概イヤフォンコードの巻き付けが終了後イヤフォン１２近傍のイヤフォンコード１１を、コード保持用スリット４に挟み込む事でイヤフォンコード１１の収納は完了する。又携帯プレーヤ８にフック１０が設けられていない場合は、コードホルダー１の取付け孔５に取付けた紐７等をプラグモールド部１３と係合させ、コードホルダー１に設けた嵌合部３にプラグモールド部１３を挿入し、以降前記記載の通りイヤフォンコード１１を収納する。
【手続補正５】
【補正対象書類名】明細書
【補正対象項目名】０００８
【補正方法】変更
【補正の内容】
【０００８】
【図１】本発明のコードホルダーを示す斜視図。
【図２】本発明のコードホルダーを携帯プレーヤに取付けた状態を示す斜視図。
【図３】本発明のコードホルダーの嵌合部にイヤフォンコード挟み概イヤフォンコードを巻きはじめた状態を示す斜視図。
【図４】本発明のコードホルダーと携帯プレーヤにイヤフォンコードを収納した状態を示す斜視図。
【図５】本発明のコードホルダーと携帯プレーヤにイヤフォンコードを収納した状態を示す斜視図。
【図６】本発明のコードホルダーの嵌合部にプラグモールドを挿入しイヤフォンコードを収納した状態を示す斜視図。
【手続補正６】
【補正対象書類名】明細書
【補正対象項目名】０００９
【補正方法】変更
【補正の内容】
【０００９】１：コードホルダー
２：凸部
３：嵌合部
４：コード保持用スリット
５：取付け孔
６：滑り止め
７：紐
８：携帯プレーヤ
９：背面部
１０：フック
１１：イヤフォンコード
１２：イヤフォン
１３：プラグモールド
【手続補正７】
【補正対象書類名】図面
【補正対象項目名】全図
【補正方法】変更
【補正の内容】
【図１】
2010148077.tif 000008
【図２】
2010148077.tif 000009
【図３】
2010148077.tif 000010
【図４】
2010148077.tif 000011
【図５】
2010148077.tif 000012
【手続補正８】
【補正対象書類名】図面
【補正対象項目名】図６
【補正方法】追加
【補正の内容】
【図６】
2010148077.tif 000013
【手続補正書】
【提出日】平成21年6月11日(2009.6.11)
【手続補正１】
【補正対象書類名】特許請求の範囲
【補正対象項目名】全文
【補正方法】変更
【補正の内容】
【特許請求の範囲】
【請求項１】
イヤフォンコード゛を携帯プレーヤ本体へ巻き付けて仕舞う時に使用するイヤフォンコードホルダーであって、該ホルダーは、イヤフォンコードを携帯プレーヤ本体へ巻き付けるに必要なサイズとし、平たく薄い板状、或いは棒状からなり、長手方向の左右の一方に、イヤフォンコードを端の方から巻きつけ易くする為にコードの一部、又はプラグモールド部のいずれをも保持するに最適な構造を備えた嵌合部を有し、もう一方の先端部近傍には、イヤフォンコードを巻き付けた後、該コードの一部を挟むなどして固定するスリット等を設けてある事を特徴としたイヤフォンコードホルダー。
【請求項２】
前記、イヤフォンコードホルダーにイヤフォンコードを巻き付けた後、コードを挟んで固定する為のスリット等を設ける部分が、他の部分より上部方向へ曲げてあることを特徴とした請求項１記載のイヤフォンコードホルダー。
【請求項３】
前記、イヤフォンコードホルダーが携帯プレーヤ本体と接する面に、ソフトで滑りにくい素材を設けたことを特徴とした請求項１及び２記載のイヤフォンコードホルダー。
【請求項４】
前記、上部方向へ曲げた部位に設けられたスリットの上側先端が、スリット基部よりも更に上部方向へずらした構造であることを特徴とした請求項１及２記載のイヤフォンコードホルダー。
【手続補正２】
【補正対象書類名】明細書
【補正対象項目名】０００４
【補正方法】変更
【補正の内容】
【０００４】本発明は、携帯プレーヤ本体と接する面へ、ソフトで滑りにくい素材を設けた該イヤフォンコードホルダーを、イヤフォンコードを携帯プレーヤ本体へ巻き付ける前に携帯プレーヤ本体の背面部、或いはおもて面へ指で押し当てて固定しながら、該イヤフォンコードホルダーを覆うようにイヤフォンコードを携帯プレーヤ本体に巻き付けるよう構成してある。該イヤフォンコードホルダーには、イヤフォンコードを携帯プレーヤへ巻きつける時に端の方から巻きつけ易いようにする為に、イヤフォンコードの一部、又はプラグモールド部のいずれも保持するに最適な構造を備えた嵌合部を有し、もう一方には、イヤフォンコードを巻き付け終わった後、イヤフォン近傍のコードを挟むなどして固定するスリット等を設けてある。しかし、スリット部分が他の部分と同様に平らだと、イヤフォンコードホルダーと携帯プレーヤ本体との間に隙間が無い為に、イヤフォンコードをコード保持用のスリットへ、スライドさせ挟み込むことが非常に難しい。この問題を解決する為に、イヤフォンコードを、該スリットへ挟み込む時に、無理なく簡単に挟むことが出来るようスリット部分を他の平らな部分よりも上部方向へ曲げると共に、よりイヤフォンコードを挟み易くするため上側先端がスリット基部より更に上部方向へずらした構造にしている。前記イヤフォンコードホルダーを携帯プレーヤへ押し付け保持した状態で、該イヤフォンコードホルダーを挟むようにしてイヤフォンコードを巻きつけることによって、該イヤフォンコードホルダーはしっかりと固定され、最後にイヤフォン近傍のコードを該イヤフォンコードホルダーの固定用スリットへスライドさせ挟み込むことでしっかりと保持されるのでイヤフォンコードが緩んでほどけ、携帯プレーヤ本体から脱落したり、Ｌ／Ｒのコードが絡んだりすることも防げる。
【手続補正３】
【補正対象書類名】明細書
【補正対象項目名】０００６
【補正方法】変更
【補正の内容】
【０００６】本発明の構成を図１〜図７に依って説明する。
コードホルダー１は、略中央平面部分にイヤフォンコード１１を巻く際のズレ防止の凸部２などを複数設け、概イヤフォンコード１１の一部、又はプラグモールド部１３のいずれをも保持するに最適な構造を備えた嵌合部３、又角度を持たせた先端平面部にコード保持用スリット４、概スリット４の上側先端が、スリット基部よりも更に上部方向へずらした構造形成、携帯プレーヤ８のフック１０又は、前記プラグモールド部１３と係合出来る紐７を、取付け孔５に取付け底面には滑り止め６を設け構成されている。
【手続補正４】
【補正対象書類名】明細書
【補正対象項目名】０００８
【補正方法】変更
【補正の内容】
【０００８】
【図１】本発明のコードホルダーを示す斜視図。
【図２】本発明のコードホルダーを携帯プレーヤに取付けた状態を示す斜視図。
【図３】本発明のコードホルダーの嵌合部にイヤフォンコード挟み概イヤフォンコードを巻きはじめた状態を示す斜視図。
【図４】本発明のコードホルダーと携帯プレーヤにイヤフォンコードを収納した状態を示す斜視図。
【図５】本発明のコードホルダーと携帯プレーヤにイヤフォンコードを収納した状態を示す斜視図。
【図６】本発明のコードホルダーの嵌合部にプラグモールドを挿入しイヤフォンコードを収納した状態を示す斜視図。
【図７】本発明のコードホルダーのスリットが基部よりも更に上部方向へずらした構造示す部分側面図
【手続補正５】
【補正対象書類名】図面
【補正対象項目名】図７
【補正方法】追加
【補正の内容】
【図７】
2010148077.tif 000014